(57)【特許請求の範囲】
【請求項１】
容器本体(1) の口部(2) 外周に、計量室(3) を構成するヒンジ蓋(4) 付計量キャップ(5) を螺合させた構成からなり、更に上記の計量キャップ(5) は、その計量室(3) を構成する胴部(6) とこれと連接している底部(7) とからなり、更に該底部(7) の中央に液体湧出口(8) を設け、かつ該湧出口(8) に連接して垂下している筒状部(9) 、該筒状部(9) に連接して下方に延設するパイプ(10)を設け、また、上記の胴部(6) の上方には、ヒンジ(11)を介してヒンジ蓋(4) で閉塞し、更に該胴部(6) の外周には、ヒンジ蓋(4) を構成するヒンジ(11)部に相当する箇所に横連結部(12)を介して前記の胴部(6) の径よりも大径の係合筒(13)を設け、更に前記の胴部(6) と係合筒(13)との間の一部に仕切り室(14)を構成する中壁(15)を設け、更に該中壁(15)と胴部(6) との平坦状密閉頂部(16)にエア孔(17)を刻設したエア流通空間部(14') を設けた構成からなり、また上記の計量キャップ(5) を構成する底部(7) の液体湧出口(8) に、該底部(7) の液体湧出口(8) を塞ぐ密栓(18)、該密栓(18)の底部に連接するバネ部(19)、該バネ部(19)に連接する支持リング(20)、該支持リング(20)の下方に垂下する支持リング引き出し用舌片(21)を設けた構成からなるバネ性開閉弁(22)を、上記の液体湧出口(8) およびこれに連接する筒状部(9) 、パイプ(10)内に嵌合、垂下させた構成からなり、また、前記ヒンジ蓋(4) には、その外周壁部(24)の内側に、前記計量室(3) の上部開口部を閉塞する中密閉栓(25)と、前記エア孔(17)を閉塞するエア孔密栓リブ(26)とが設けられ、前記バネ部(19)が、プラスチック製または金属製の波状バネからなり、更に、前記液体湧出口(8) の孔の直径と前記エア孔(17)の孔の直径との比率が７：１から１０：１の範囲であることを特徴とする液体計量キャップ付容器。
【発明の詳細な説明】
【０００１】
【発明の属する技術分野】
本発明は、液体計量キャップ付容器に関し、更に詳しくは、液状洗剤、液状薬剤、液状試薬、その他等の液状物の充填包装に適する液体計量キャップ付容器に関するものである。
【０００２】
【従来の技術】
従来、液体計量キャップ付容器としては、種々のものが提案されているが、それらのなかで  容器の口部に容器本体内に吸い上げパイプで連通した計量カップを配設し、容器の胴部を圧搾して上記の吸い上げパイプを通して計量カップに内容物である液状物を送り出して計量し、この後容器を傾けて計量カップから液状物を注ぎ出すスクイズ形構造のものが、最も代表的なものとして知られている。
【０００３】
【発明が解決しようとする課題】
しかしながら、上記のスクイズ形構造の液体計量キャップ付容器においては、構造や操作が比較的簡単であるという利点を有するが、計量カップから容器本体の底部に吸い上げパイプが垂下してあり、この吸い上げパイプには容器本体内の液状物と同レベルに液状物が入っており、このために容器を下向きにして外部に計量した液状物を注ぎ出す際に、この吸い上げパイプ内の液状物も注ぎ出されるという問題点がある。
しかも、この吸い上げパイプ内の液状物の液量は、容器内の液状物の液量が変化するとそれに応じて変化するので、この吸い上げパイプ内の液状物の液量が計量した液状物に上積みされて、その結果、外部に注ぎ出される液量にバラツキを生じるという問題点もある。
そこで本発明は、吸い上げパイプ内の液状物を外部に注ぎ出さないようにし、外部に注ぎ出す液量を常に一定にしてバラツキを生じないようにした信頼性の高い液体計量キャップ付容器を提供することである。
【０００４】
【課題を解決するための手段】
本発明者は、上記のような問題点を解決すべく種々研究した結果、容器本体の口部外周に、計量室を構成するヒンジ蓋付計量キャップを螺合させた構成からなり、而して該計量キャップを、その計量室を構成する胴部とこれと連接している底部とからなり、更に該底部の中央に液体湧出口を設け、かつ該湧出口に連接して垂下している筒状部、該筒状部に連接して下方に延設するパイプを設け、また、上記の胴部の上方には、ヒンジを介してヒンジ蓋で閉塞し、更に上記の胴部の外周には、ヒンジ蓋を構成するヒンジ部に相当する箇所に横連結部を介して前記の胴部よりも大径の係合筒を設け、更に前記の胴部と係合筒との間の一部に仕切り室を構成する中壁を設け、更に該中壁と胴部との平坦状密閉頂部にエア孔を刻設したエア流通空間部を設けて構成し、また上記の計量キャップを構成する底部の液体湧出口に、該底部の液体湧出口を塞ぐ蜜栓、該蜜栓の底部に連接するバネ部、該バネ部に連接する支持リング、該支持レングの下方に垂下する支持リング引き出し用舌片を設けた構成からなるバネ性開閉弁を、上記の液体湧出口およびこれに連接する筒状部、パイプ内に嵌合、垂下させて構成したところ、外部に内容物を注ぎだす際に、筒状部、パイプ内等にある内容物を外部に注ぎ出すことがなく、外部に注ぎ出す液量を常に一定にしてバラツキを生じない、信頼性の高い液体計量キャップ付容器を製造し得ることを見出して本発明を完成したものである。
【０００５】
すなわち、本発明は、容器本体(1) の口部(2) 外周に、計量室(3) を構成するヒンジ蓋(4) 付計量キャップ(5) を螺合させた構成からなり、更に上記の計量キャップ(5) は、その計量室(3) を構成する胴部(6) とこれと連接している底部(7) とからなり、更に該底部(7) の中央に液体湧出口(8) を設け、かつ該湧出口(8) に連接して垂下している筒状部(9) 、該筒状部(9) に連接して下方に延設するパイプ(10)を設け、また、上記の胴部(6) の上方には、ヒンジ(11)を介してヒンジ蓋(4) で閉塞し、更に該胴部(6) の外周には、ヒンジ蓋(4) を構成するヒンジ(11)部に相当する箇所に横連結部(12)を介して前記の胴部(6) の径よりも大径の係合筒(13)を設け、更に前記の胴部(6) と係合筒(13)との間の一部に仕切り室(14)を構成する中壁(15)を設け、更に該中壁(15)と胴部(6) との平坦状密閉頂部(16)にエア孔(17)を刻設したエア流通空間部(14') を設けた構成からなり、また上記の計量キャップ(5) を構成する底部(7) の液体湧出口(8) に、該底部(7) の液体湧出口(8) を塞ぐ密栓(18)、該密栓(18)の底部に連接するバネ部(19)、該バネ部(19)に連接する支持リング(20)、該支持リング(20)の下方に垂下する支持リング引き出し用舌片(21)を設けた構成からなるバネ性開閉弁(22)を、上記の液体湧出口(8) およびこれに連接する筒状部(9) 、パイプ(10)内に嵌合、垂下させた構成からなり、また、前記ヒンジ蓋(4) には、その外周壁部(24)の内側に、前記計量室(3) の上部開口部を閉塞する中密閉栓(25)と、前記エア孔(17)を閉塞するエア孔密栓リブ(26)とが設けられ、前記バネ部(19)が、プラスチック製または金属製の波状バネからなり、更に、前記液体湧出口(8) の孔の直径と前記エア孔(17)の孔の直径との比率が７：１から１０：１の範囲であることを特徴とする液体計量キャップ付容器である。
【０００６】
【発明の実施の形態】
上記の本発明にかかる液体計量キャップ付容器について図面を用いて以下に更に詳しく説明する。
図１は、本発明にかかる液体計量キャップ付容器の構成を示す縦断面図であり、図２は、本発明にかかる液体計量キャップ付容器に使用される液体計量キャップの構成を示す平面図であり、図３は、本発明にかかる液体計量キャップ付容器に使用されるバネ性開閉弁の構成を示す斜視図であり、図４は、本発明にかかる液体計量キャップ付容器の計量室に液状物を注入した状態を液体計量キャップの構成を示す縦断面図である。
本発明にかかる液体計量キャップ付容器は、図１ないし図４に示すように、容器本体１の口部２の上部外周に、計量室３を構成するヒンジ蓋４付計量キャップ５を螺合させた構成からなるものでる。
而して、本発明において、上記の計量室３を構成するヒンジ蓋４付計量キャップ５は、次のような構成からなるものである。
すなわち、計量キャップ５は、その計量室３を構成する胴部６とこれと連接している底部７とからなり、更に該底部７の中央には、液体湧出口８を設け、かつ該液体湧出口８に連接して垂下している筒状部９、該筒状部９に連接して下方に延設するパイプ１０を設け、また、上記の胴部６の上方は、ヒンジ１１を介してヒンジ蓋４で閉塞するものである。
更に、上記の計量室３を構成する胴部６の外周には、ヒンジ蓋４を構成するヒンジ部１１に相当する箇所に横連結部１２を介して前記の胴部６のよりも大径の係合筒１３を設け、更に前記の胴部６と係合筒１３との間の一部に仕切り室１４を構成する中壁１５を設け、更に該中壁１５と胴部６との上部に平坦状密閉頂部１６を設け、該平坦状密閉頂部１６にエア孔１７を刻設したエア流通空間部１４′を設けた構成からなるものである。
また、上記の計量キャップ５を構成する底部７の液体湧出口８には、該底部７の液体湧出口８を塞ぐ蜜栓１８、該蜜栓１８の底部に連接するバネ部１９、該バネ部１９に連接する支持リング２０、該支持レング２０の下方に垂下する支持リング引き出し用舌片２１を設けた構成からなるバネ性開閉弁２２を、上記の液体湧出口８およびこれに連接する筒状部９、パイプ１０内に嵌合、垂下させた構成からなるものである。
更に、上記の計量キャップ５を構成するヒンジ蓋４は、ヒンジ１１を介して計量キャップ５の本体と接合し、これは、天板２３、これに連接する外周壁部２４、胴部６の先端に当接して密閉する中密閉栓２５、上記のエア孔１７を密閉するエア孔蜜栓リブ２６を設けた構成からなるものである。
また、本発明において、バネ性開閉弁２２は、筒状部９に段差状の支持リング受け部２７が設けられ、これにバネ性開閉弁２２を構成する支持レング２０が蜜設しているものである。
【０００７】
本発明において、上記のような構成からなる計量室３を構成するヒンジ蓋４付計量キャップ５は、例えば、ポリエチレン、ポリプロピレン、ポリスチレン、ポリカ−ボネ−ト、ポリアミド、ポリエステル、ポリ塩化ビニル、その他等の樹脂を使用し、射出成形、押し出し成形等の成形法により成形して製造することができる。
【０００８】
上記のような構成からなる液体計量キャップ付容器について、その内容物を外部に注ぎ出す機構について説明すると、まず、図４に示す状態で容器本体１の中央部を圧搾すると、内容物Ａは、押し圧されて、パイプ部１０の底から上昇して、筒状部９を通り、而して、その際に、バネ性開閉弁２２を構成する支持リング２０は、筒状部９に設けられている支持リング受け部２７で支持されると共に内容物Ａがその空間部を通り、更にバネ部１９間を通りながら、該バネ部１９のバネ弾性力を利用して蜜栓１８を上方に押し上げて、底部７に設けた液体湧出口８と蜜栓１８との間に空間を形成し、その空間部分から内容物Ａが計量室３内に注ぎこまれることになる。
上記において、容器本体１の中央部を圧搾すると、容器本体１内の空気は、上記の平坦状密閉頂部１６に設けたエア孔１７から排気して内容物Ａを計量室３内に注ぎ込みにくくなる可能性があるが、上記の底部７に設けた液体湧出口８の孔の大きさと、上記の平坦状密閉頂部１６に設けたエア孔１７の孔の大きさとを調整することによってこれを防ぐことができる。
例えば、底部７に設けた液体湧出口８の孔の直径と平坦状密閉頂部１６に設けたエア孔１７の孔の直径とを、約７：１ないし１０：１位の割合になる関係で、それぞれ液体湧出口８およびエア孔１７の孔を設けることによって内容物Ａを適量に計量室３内に注ぎ込むことができる。
具体的には、容器本体１を手で持って手の力で圧搾する場合、底部７に設けた液体湧出口８の孔の直径を７ｍｍ〜１０ｍｍ位に対しエア孔１７の孔の直径を１ｍｍ位に設けることが好ましい。
而して、所定量の内容物Ａが計量室３内に注ぎこまれると、圧搾を中止し、その際に、バネ性開閉弁２２を構成する蜜栓１８は、バネ部１９のバネ弾性力が開放されて、底部７の液体湧出口８に嵌合して該液体湧出口８を塞ぎ、これによって計量室３内に一定量の内容物Ａが計量されて収容されることになる。
そして、容器本体１を横にしながら外部に内容物Ａを注ぎ出すと、底部７の液体湧出口８は、バネ性開閉弁２２を構成する蜜栓１８で密閉され、更にバネ性開閉弁２２を構成する支持リング２０は、筒状部９に設けられている支持リング受け部２７で支持されているので、蜜栓１８は、底部７の液体湧出口８に固定されていることになるから、計量室３内にある内容物Ａだけを外部に注ぎ出すことができると共に、エア孔１７から容器本体１内にエアを吹き込むことになる。
次いで、内容物Ａが全て外部に注ぎ出された後、容器本１を再び立て直して真っ直ぐにし、ヒンジ蓋４を密閉し、而して、その使用に際しては、ヒンジ蓋４を開封し、再度上記と同様な操作を繰り返すことによって、一定量の内容物Ａをバラツキなく、精度を高く外部に注ぎ出すことができるものである。
【０００９】
【発明の効果】
以上の説明で明らかなように、本発明においては、容器本体に取り付ける計量キャップを、その計量室を構成する胴部とこれと連接している底部とからなり、更に該底部の中央に液体湧出口を設け、かつ該湧出口に連接して垂下している筒状部、該筒状部に連接して下方に延設するパイプを設け、また、上記の胴部の上方には、ヒンジを介してヒンジ蓋で閉塞し、更に上記の胴部の外周には、ヒンジ蓋を構成するヒンジ部に相当する箇所に横連結部を介して前記の胴部のよりも大径の係合筒を設け、更に前記の胴部と係合筒との間の一部に仕切り室を構成する中壁を設け、更に該中壁と胴部との平坦状密閉頂部にエア孔を刻設したエア流通空間部を設けて構成し、また上記の計量キャップを構成する底部の液体湧出口に、該底部の液体湧出口を塞ぐ蜜栓、該蜜栓の底部に連接するバネ部、該バネ部に連接する支持リング、該支持レングの下方に垂下する支持リング引き出し用舌片を設けた構成からなるバネ性開閉弁を、上記の液体湧出口およびこれに連接する筒状部、パイプ内に嵌合、垂下させて構成することにより、外部に内容物を注ぎだす際に、筒状部、パイプ内等にある内容物を外部に注ぎ出すことがなく、外部に注ぎ出す液量を常に一定にしてバラツキを生じない、信頼性の高い液体計量キャップ付容器を製造し得ることができるものである。
【図面の簡単な説明】
【図１】本発明にかかる液体計量キャップ付容器の構成を示す縦断面図である。
【図２】本発明にかかる液体計量キャップ付容器に使用される液体計量キャップの構成を示す平面図である。
【図３】本発明にかかる液体計量キャップ付容器に使用されるバネ性開閉弁の構成を示す斜視図である。
【図４】本発明にかかる液体計量キャップ付容器の計量室に液状物を注入した状態を液体計量キャップの構成を示す縦断面図である。
【符号の説明】
１  容器本体
２  口部
３  計量室
４  ヒンジ蓋
５  計量キャップ
６  胴部
７  底部
８  液体湧出口
９  筒状部
１０  パイプ
１１  ヒンジ
１２  横連結部
１３  係合筒
１４  仕切り室
１５  中壁
１６  平坦状密閉頂部
１７  エア孔
１４'   エア流通空間部
１８  密栓
１９  バネ部
２０  支持リング
２１  支持リング引き出し用舌片
２２  バネ性開閉弁
２３  天板
２４  外周壁部
２５  中密閉栓
２６  エア孔密栓リブ
２７  段差状の支持リング受け部
【図１】
0003745004.tif 000002
【図２】
0003745004.tif 000003
【図３】
0003745004.tif 000004
【図４】
0003745004.tif 000005